(57)【要約】      （修正有）【課題】本体内への水の侵入を防止することができる地下収納庫を提供する。【解決手段】地下収納庫Ｃは、地中に埋設される地下収納庫Ｃであって、地中に埋設され、内部に収納部を有した空間を備えた本体１と、この本体１の天井面に設けられ、人の出入りを許容する開口部３と、本体１に回動自在に支持され、開口部３を開閉する蓋５と、本体１内に設けられ、一端を開口部３に、他端を開口部３より低い位置にある本体１の内部に、それぞれ臨むように設けられたダクト８と、本体１内に設けられ、ダクト８内に本体１内の空気を導き、外気に向かって排気すると共に、商用電源又はバッテリーで動作する排気ファン８Ａとを備えているものである。【選択図】図４
2013040457.tif 000002
【特許請求の範囲】
【請求項１】
地中に埋設される地下収納庫であって、
地中に埋設され、内部に収納部を有した空間を備えた本体と、
この本体の天井面に設けられ、人の出入りを許容する開口部と、
前記本体に回動自在に支持され、前記開口部を開閉する蓋と、
前記本体内に設けられ、一端を前記開口部に、他端を前記開口部より低い位置にある前記本体の内部に、それぞれ臨むように設けられたダクトと、
前記本体内に設けられ、前記ダクト内に前記本体内の空気を導き、外気に向かって排気すると共に、商用電源又はバッテリーで動作する排気ファンとを備えている
ことを特徴とする地下収納庫。
【請求項２】
地中に埋設される地下収納庫であって、
地中に埋設され、内部に収納部を有した空間を備えた本体と、
この本体の天井面に設けられ、人の出入りを許容する開口部と、
前記本体に回動自在に支持され、前記開口部を開閉する蓋と、
前記本体内に設けられ、一端を前記開口部に、他端を前記開口部より低い位置にある前記本体の内部に、それぞれ臨むように設けられたダクトと、
前記本体内に設けられ、前記ダクト内に外気を導き、本体内へ供給すると共に、商用電源又はバッテリーで動作する給気ファンとを備えている
ことを特徴とする地下収納庫。
【請求項３】
地中に埋設される地下収納庫であって、
地中に埋設され、内部に収納部を有した空間を備えた本体と、
この本体の天井面に設けられ、人の出入りを許容する開口部と、
前記本体に回動自在に支持され、前記開口部を開閉する蓋と、
前記本体内に設けられ、一端を前記開口部に、他端を前記開口部より低い位置にある前記本体の内部に、それぞれ臨むように設けられた排気ダクトと、
前記本体内に設けられ、前記排気ダクト内に前記本体内の空気を導き、外気に向かって排気すると共に、商用電源又はバッテリーで動作する排気ファンと、
前記本体内に設けられ、一端を前記開口部に、他端を前記開口部より低い位置にある前記本体の内部に、それぞれ臨むように設けられた給気ダクトと、
前記本体内に設けられ、前記給気ダクト内に外気を導き、本体内へ供給すると共に、商用電源又はバッテリーで動作する給気ファンとを備えている
ことを特徴とする地下収納庫。
【請求項４】
開口部を蓋で閉めているとき、排気ファンの動作をオフ、前記開口部を前記蓋で開けているとき、前記排気ファンの動作をオンさせるスイッチを設けている
ことを特徴とする請求項１〜３の何れか１項記載の地下収納庫。
【発明の詳細な説明】
【技術分野】
【０００１】
本発明は、地下収納庫に係り、特に、本体内への水の侵入を防止することができる地下収納庫に関する。
【背景技術】
【０００２】
従来、地中に収納庫を埋設するようにした地下収納庫がある（例えば、特許文献１参照）。
この地下収納庫は、地中に埋設され、内部に収納部を有した空間を備えた本体と、この本体の天井面に設けられ、人の出入りを許容する開口部と、前記開口部を開閉する蓋とを備えている。上述の特許文献１記載の蓋にあっては、本体内の換気について、具体的な記載がなく、例えば、本体内から本体外へ突出するダクトを設けた場合、通常時は、それ程支障を生じない。
【先行技術文献】
【特許文献】
【０００３】
【特許文献１】特許第３５４５８６２号公報
【発明の概要】
【発明が解決しようとする課題】
【０００４】
ところが、地震、津波等の災害時、ダクトが損傷を受けた場合、損傷したダクトを介して水が本体内に侵入し、地下収納庫内の収納物が損傷を受けるという問題点が生じる。
【０００５】
本発明は、前記問題点を考慮してなされたもので、地下収納庫内の収納物が損傷を受けないようにした地下収納庫を提供することを目的とする。
【課題を解決するための手段】
【０００６】
請求項１記載の地下収納庫は、地中に埋設される地下収納庫であって、地中に埋設され、内部に収納部を有した空間を備えた本体と、この本体の天井面に設けられ、人の出入りを許容する開口部と、前記本体に回動自在に支持され、前記開口部を開閉する蓋と、前記本体内に設けられ、一端を前記開口部に、他端を前記開口部より低い位置にある前記本体の内部に、それぞれ臨むように設けられたダクトと、前記本体内に設けられ、前記ダクト内に前記本体内の空気を導き、外気に向かって排気すると共に、商用電源又はバッテリーで動作する排気ファンとを備えているものである。
【０００７】
また、請求項２記載の地下収納庫は、地中に埋設される地下収納庫であって、地中に埋設され、内部に収納部を有した空間を備えた本体と、この本体の天井面に設けられ、人の出入りを許容する開口部と、前記本体に回動自在に支持され、前記開口部を開閉する蓋と、前記本体内に設けられ、一端を前記開口部に、他端を前記開口部より低い位置にある前記本体の内部に、それぞれ臨むように設けられたダクトと、前記本体内に設けられ、前記ダクト内に外気を導き、本体内へ供給すると共に、商用電源又はバッテリーで動作する給気ファンとを備えているものである。
【０００８】
また、請求項３記載の地下収納庫は、地中に埋設される地下収納庫であって、地中に埋設され、内部に収納部を有した空間を備えた本体と、この本体の天井面に設けられ、人の出入りを許容する開口部と、前記本体に回動自在に支持され、前記開口部を開閉する蓋と、前記本体内に設けられ、一端を前記開口部に、他端を前記開口部より低い位置にある前記本体の内部に、それぞれ臨むように設けられた排気ダクトと、前記本体内に設けられ、前記排気ダクト内に前記本体内の空気を導き、外気に向かって排気すると共に、商用電源又はバッテリーで動作する排気ファンと、前記本体内に設けられ、一端を前記開口部に、他端を前記開口部より低い位置にある前記本体の内部に、それぞれ臨むように設けられた給気ダクトと、前記本体内に設けられ、前記給気ダクト内に外気を導き、本体内へ供給すると共に、商用電源又はバッテリーで動作する給気ファンとを備えているものである。
【０００９】
また、請求項４記載の地下収納庫は、請求項１〜３の何れか１項記載の地下収納庫において、開口部を蓋で閉めているとき、排気ファンの動作をオフ、前記開口部を前記蓋で開けているとき、前記排気ファンの動作をオンさせるスイッチを設けているものである。
【発明の効果】
【００１０】
請求項１記載の地下収納庫によれば、ダクトは本体内に設けられているため、地震、津波等の災害時、損傷を受けにくく、ダクトを介して水が本体内に侵入することが防止され、しかも、ダクト内に本体内の空気を導き、外気に向かって排気すると共に、商用電源又はバッテリーで動作する排気ファンを設けているため、排気ファンの動作に伴い、本体内の空気が本体外へと導かれると共に、外気が開口部を介して本体内に導かれ、本体内の酸欠を防止することができる。
【００１１】
また、請求項２記載の地下収納庫によれば、ダクトは本体内に設けられているため、地震、津波等の災害時、損傷を受けにくく、ダクトを介して水が本体内に侵入することが防止され、しかも、ダクト内に外気を導き、本体内へ供給すると共に、商用電源又はバッテリーで動作する給気ファンを設けているため、給気ファンの動作に伴い、本体内へ外気が導かれると共に、本体内の空気が開口部を介して本体外へと導かれ、本体内の酸欠を防止することができる。
【００１２】
また、請求項３記載の地下収納庫によれば、排気ダクト及び給気ダクトは本体内に設けられているため、地震、津波等の災害時、損傷を受けにくく、排気ダクト又は給気ダクトを介して水が本体内に侵入することが防止され、しかも、排気ダクト内に本体内の空気を導き、外気に向かって排気すると共に、商用電源又はバッテリーで動作する排気ファンと、給気ダクト内に外気を導き、本体内へ供給すると共に、商用電源又はバッテリーで動作する給気ファンとを設けているため、本体内の空気を換気して、本体内の酸欠を防止することができる。
【００１３】
また、請求項４記載の地下収納庫によれば、前述した請求項１〜３の何れか１項記載の発明の効果に加え、開口部を蓋で閉めているとき、排気ファンの動作をオフ、開口部を蓋で開けているとき、前記排気ファンの動作をオンさせるスイッチを設けているため、蓋の開閉に伴って、排気ファンが自動的に動作するため、排気ファンの動作スイッチの投入忘れに伴う本体内の酸欠を防止することができる。
【図面の簡単な説明】
【００１４】
【図１】図１は、本発明の一実施例の地下収納庫の概略的断面図である。
【図２】図２は、図１の概略的平面図である。
【図３】図３は、図１の一部を拡大して示す概略的一部拡大断面図である。
【図４】図４は、図３の蓋を開いた状態の概略的断面図である。
【図５】図５は、図１の地下収納庫と異なる他の実施例の地下収納庫の概略的平面図である。
【図６】図６は、図５の一部を拡大して示す概略的一部拡大断面図である。
【図７】図７は、図５の地下収納庫と異なる他の実施例の地下収納庫の概略的平面図である。
【図８】図８は、図７の一部を拡大して示す概略的一部拡大断面図である。
【発明を実施するための形態】
【００１５】
本発明の一実施例の地下収納庫を図面を参照して説明する。
[第１の実施例（図１乃至図４）]
図１乃至図４に示すＣは、地中に埋設される地下収納庫で、地下収納庫Ｃは、地中に埋設され、内部に収納部を有した空間を備えた本体１を有する。
本体１は、例えば、鋼製で、直径約２．１ｍ、長さ約３．６ｍの略円筒形状のもので、内部は、日常生活用品（例えば、米、味噌、調味料、酒、飲料、乾物等）の備蓄庫、重要書類（例えば、保険証書、権利書、株券等）の保管場所、防災備蓄庫（例えば、飲料水、非常食、テント、寝袋、懐中電灯、ラジオ、救急箱等）、不要不急品（例えば、季節品、レジャー用品、趣味の品、コレクション等）の倉庫として、利用でき、また、本体１の上は、例えば、駐車場Ｐとしても利用することができるものである。そして、本体１の下部は、打設したコンクリート２に接続され、本体１の浮き上がりを防止している。
【００１６】
また、図４に示す３は開口部で、開口部３は、本体１の天井面に設けられ、人の出入りを許容するものである、人は、開口部３を介して、梯子４を使って、本体１の出入りを行うことができる。
開口部３は、蓋５により開閉されるもので、蓋５は本体１に回動自在に支持されている。蓋５と本体１とは、シール部材（図示せず）により、気密性が保たれるようになっている。
蓋５は地表面Ｇの近傍に設けられ、蓋５の本体１の回動部位５Ａより遠い側の蓋５の先端５Ｂは、地表面に設けた排水溝６に臨む位置に設けられている（図１及び図３参照）。
【００１７】
また、図１乃至図４に示す８はダクト（排気ダクト）で、ダクト８は、本体１内に設けられ、一端を開口部３に、他端を開口部３より低い位置にある本体１の内部１Ａに、それぞれ臨むように設けられ、空気通路となっている。８Ａは、図示しない商用電源又は図示しないバッテリーで動作する排気ファンで、排気ファン８Ａは、本体１内に設けられ（より具体的には、排気ファン８Ａは、ダクト８の他端に近い側のダクト８内部に設けられている。）、ダクト８内に本体１内の空気を導き、外気に向かって排気するようになっている。ダクト８は、開口部３に近い側はフレキシブルダクト８１、開口部３に遠い側は直線状ダクト８２で構成され、ダクト８の開口部３に近い側の一端には、ダクト８内へのごみ等の異物の浸入を防ぐ金網８Ｂが設けられている。
【００１８】
また、図３に示すＳ１はスイッチで、スイッチＳ１は、開口部３を蓋５で閉めているとき、排気ファン８Ａの動作をオフ、開口部３を蓋５で開けているとき、排気ファン８Ａの動作をオンさせるもので、具体的には、開口部３を蓋５で閉められ、作動部材Ｓ１１が蓋５の裏面に当接した状態で、排気ファン８Ａの動作がオフ、蓋５により開口部３が開けられ、作動部材Ｓ１１が蓋５の裏面から離間した状態で、排気ファン８Ａの動作がオンとなるように制御される。
即ち、スイッチＳ１は開口部３を蓋５で閉めているとき（図３参照）、排気ファン８Ａの動作をオフ、開口部３を蓋で開けているとき（図４参照）、排気ファン８Ａの動作をオンさせるため、蓋５の開閉に伴って、排気ファン８Ａが自動的に動作するため、排気ファン８Ａの動作スイッチの投入忘れに伴う本体１内の酸欠を防止することができる。
【００１９】
従って、上述した地下収納庫Ｃによれば、ダクト８は本体１内に設けられているため、地震、津波等の災害時、損傷を受けにくく、ダクト８を介して水が本体１内に侵入することが防止され、しかも、ダクト８内に本体１内の空気を導き、外気に向かって排気すると共に、図示しない商用電源又は図示しないバッテリーで動作する排気ファン８Ａを設けているため、排気ファン８Ａの動作に伴い、本体１内の空気が本体１外へと導かれると共に、外気が開口部３を介して本体１内に導かれ、本体１内の酸欠を防止することができる。
また、人の出入りを許容する開口部３の蓋５は地表面Ｇに設けて、蓋５が露出する地表面Ｇを、例えば、駐車場Ｐ等として利用でき、しかも、蓋５は地表面Ｇの近傍に設けられ、蓋５の先端５Ｂは、地表面Ｇに設けた排水溝６に臨んでいる。なお、蓋５の先端５Ｂに対向する溝６との間隔は、手が入るスペースがあれば良い。その結果、蓋５の先端５Ｂを掴んで蓋５の開閉作業を容易に行うことができる。
【００２０】
[第２の実施例(図５及び図６)]
上述した第１の実施例（図１乃至図４）においては、ダクト８と排気ファン８Ａのみを設けたが、本願発明はこれに限らず、ダクト９及び給気ファン９Ａを設けるようにしても良い。
即ち、図５及び図６に示す９はダクト（給気ダクト）で、ダクト９は、本体１内に設けられ、一端を開口部３に、他端を開口部３より低い位置にある本体１の内部に、それぞれ臨むように設けられ、空気通路となっている。９Ａは、図示しない商用電源又は図示しないバッテリーで動作する給気ファンで、給気ファン９Ａは、本体１内に設けられ（より具体的には、給気ファン９Ａは、ダクト９の一端に近い側のダクト９内部に設けられている。）、ダクト９内に外気を導き、本体１内へ供給するようになっている。
ダクト９は、開口部３に近い側はフレキシブルダクト９１、開口部３に遠い側は直線状ダクト９２で構成され、ダクト９の開口部３に近い側の一端には、ダクト９内へのごみ等の異物の浸入を防ぐ金網９Ｂが設けられている。
なお、図６に示すＳ２はスイッチで、スイッチＳ２は、開口部３を蓋５で閉めているとき、排気ファン８Ａの動作をオフ、開口部３を蓋５で開けているとき（図６参照）、排気ファン８Ａの動作をオンさせるもので、具体的には、開口部３を蓋５で閉められ、作動部材Ｓ２１が蓋５の裏面に当接した状態で、給気ファン９Ａの動作がオフ、蓋５により開口部３が開けられ、作動部材Ｓ２１が蓋５の裏面から離間した状態で、給気ファン９Ａの動作がオンとなるように制御される。
即ち、スイッチＳ２は開口部３を蓋５で閉めているとき、給気ファン９Ａの動作をオフ、開口部３を蓋で開けているとき、給気ファン９Ａの動作をオンさせるため、蓋５の開閉に伴って、給気ファン９Ａが自動的に動作するため、給気ファン９Ａの動作スイッチの投入忘れに伴う本体１内の酸欠を防止することができる。
【００２１】
従って、上述した地下収納庫Ｃによれば、ダクト９は本体１内に設けられているため、地震、津波等の災害時、損傷を受けにくく、ダクト９を介して水が本体１内に侵入することが防止され、しかも、ダクト９内に外気を導き、本体１内へ供給すると共に、図示しない商用電源又は図示しないバッテリーで動作する給気ファン９Ａを設けているため、給気ファン９Ａの動作に伴い、本体１内へ外気が導かれると共に、本体１内の空気が開口部３を介して本体１外へと導かれ、本体１内の酸欠を防止することができる。
なお、第２の実施例（図５及び図６）においては、第１の実施例（図１乃至図４）と同一部分に同一符号を付してその説明を一部省略する。
【００２２】
[第３の実施例（図７及び図８）]
上述した第１の実施例（図１乃至図４）においては、ダクト８と排気ファン８Ａのみを設け、第２の実施例（図５及び図６）においては、ダクト９と給気ファン９Ａのみを設けるようにしたが、本願発明はこれに限らず、排気ダクト８、排気ファン８Ａ、給気ダクト９及び給気ファン９Ａを設けるようにしても良い。
即ち、図７に示す８は排気ダクトで、排気ダクト８は、本体１内に設けられ、一端を開口部３に、他端を開口部３より低い位置にある本体１の内部１Ａに、それぞれ臨むように設けられ、空気通路となっている。８Ａは、図示しない商用電源又は図示しないバッテリーで動作する排気ファンで、排気ファン８Ａは、本体１内に設けられ（より具体的には、排気ファン８Ａは、排気ダクト８の他端に近い側の排気ダクト８内部に設けられている。）、排気ダクト８内に本体１内の空気を導き、外気に向かって排気するようになっている。排気ダクト８は、開口部３に近い側はフレキシブルダクト８１、開口部３に遠い側は直線状ダクト８２で構成され、排気ダクト８の開口部３に近い側の一端には、排気ダクト８内へのごみ等の異物の浸入を防ぐ金網８Ｂが設けられている。
なお、図７に示すＳ１はスイッチで、スイッチＳ１は、開口部３を蓋５で閉めているとき、排気ファン８Ａの動作をオフ、開口部３を蓋５で開けているとき、排気ファン８Ａの動作をオンさせるもので、具体的には、開口部３を蓋５で閉められ、作動部材Ｓ１１が蓋５の裏面に当接した状態で、排気ファン８Ａの動作がオフ、蓋５により開口部３が開けられ、作動部材Ｓ１１が蓋５の裏面から離間した状態で、排気ファン８Ａの動作がオンとなるように制御される。
また、図７に示す９は給気ダクトで、給気ダクト９は、本体１内に設けられ、一端を開口部３に、他端を開口部３より低い位置にある本体１の内部に、それぞれ臨むように設けられ、空気通路となっている。９Ａは、図示しない商用電源又は図示しないバッテリーで動作する給気ファンで、給気ファン９Ａは、本体１内に設けられ（より具体的には、給気ファン９Ａは、給気ダクト９の一端に近い側の給気ダクト９内部に設けられている。）、給気ダクト９内に外気を導き、本体１内へ供給するようになっている。
給気ダクト９は、開口部３に近い側はフレキシブルダクト９１、開口部３に遠い側は直線状ダクト９２で構成され、給気ダクト９の開口部３に近い側の一端には、ダクト９内へのごみ等の異物の浸入を防ぐ金網９Ｂが設けられている。
なお、図７に示すＳ２はスイッチで、スイッチＳ２は、開口部３を蓋５で閉めているとき、排気ファン８Ａの動作をオフ、開口部３を蓋５で開けているとき、排気ファン８Ａの動作をオンさせるもので、具体的には、開口部３を蓋５で閉められ、作動部材Ｓ２１が蓋５の裏面に当接した状態で、給気ファン９Ａの動作がオフ、蓋５により開口部３が開けられ、作動部材Ｓ２１が蓋５の裏面から離間した状態で、給気ファン９Ａの動作がオンとなるように制御される。
【００２３】
従って、上述した地下収納庫Ｃによれば、排気ダクト８及び給気ダクト９は本体１内に設けられているため、地震、津波等の災害時、損傷を受けにくく、排気ダクト８又は給気ダクト９を介して水が本体１内に侵入することが防止され、しかも、排気ダクト８内に本体１内の空気を導き、外気に向かって排気すると共に、図示しない商用電源又は図示しないバッテリーで動作する排気ファン８Ａと、給気ダクト９内に外気を導き、本体１内へ供給すると共に、図示しない商用電源又は図示しないバッテリーで動作する給気ファン９Ａとを設けているため、本体１内の空気を換気して、本体１内の酸欠を防止することができる。
なお、図８に示すＦは、地表面Ｇと略同面のカバーで、カバーＦは、蓋５と排水溝６の隙間を塞いで、該隙間に足を挟んだり、二輪車の車輪等が挟まるのを防ぐものである。
また、図８に示す６０は操作部を覆う操作部カバーであり、７０は、カバーＦを持ち上げる際、使用するカバー用取っ手である。
【符号の説明】
【００２４】
Ｃ      地下収納庫
１      本体
３      開口部
５      蓋
８      ダクト
８Ａ    排気ファン
【図１】
2013040457.tif 000003
【図２】
2013040457.tif 000004
【図３】
2013040457.tif 000005
【図４】
2013040457.tif 000006
【図５】
2013040457.tif 000007
【図６】
2013040457.tif 000008
【図７】
2013040457.tif 000009
【図８】
2013040457.tif 000010